(57)【要約】【課題】空気入りタイヤにおいて、フラットスポットを抑制することでタイヤ剛性を向上すると共に乗心地の悪化を防止する。【解決手段】補強層３１を低剛性繊維及び高剛性繊維からなる複合コードにより構成し、この補強層３１をカーカス本体１１ａに隣接し、この複合コードがカーカスコードと略平行をなして配設し、その応力−伸び曲線にて、原点０から変曲点Ｃに至る低弾性域と変曲点を越える高弾性域とを有し、変曲点Ｃでの伸びが０．５〜５．０％の範囲とし、且つ、カーカス１１の剛性指数に対する複合コードにおける低弾性域の剛性指数を５０％以下で、高弾性域の剛性指数を１００％以上に設定する。【選択図】        図１
2006298162.tif 000002
【特許請求の範囲】
【請求項１】
トレッド部からショルダー部及びサイドウォール部を介してビード部まで装架されて端部がタイヤ外側に折り返された複数のコードからなるカーカスを有する空気入りタイヤにおいて、低剛性繊維及び高剛性繊維からなる複合コードにより構成される補強層が前記カーカスに隣接し、該複合コードが前記カーカスコードと略平行をなして配設され、前記複合コードが、応力−伸び曲線にて、原点から変曲点に至る低弾性域と該変曲点を越える高弾性域とを有し、前記変曲点での伸びが０．５〜５．０％の範囲にあり、且つ、前記カーカスの剛性指数に対する前記複合コードにおける低弾性域の剛性指数が５０％以下で、高弾性域の剛性指数が１００％以上に設定されたことを特徴とする空気入りタイヤ。
【請求項２】
請求項１に記載の空気入りタイヤにおいて、前記カーカスは、トレッド部からショルダー部及びサイドウォール部を介してビード部まで延設されたカーカス本体と、該カーカス本体の端部からタイヤ外側に折り返された折り返し部と、前記カーカス本体の端部と前記折り返し部とを連結する底部とを有し、前記補強層は、前記カーカス本体に沿って設けられたことを特徴とする空気入りタイヤ。
【請求項３】
請求項１または２に記載の空気入りタイヤにおいて、前記カーカスは、端部がビードコアの周囲にタイヤ内側から外側に折り返されてなり、前記補強層は、タイヤ最大幅位置近傍から前記ビードコアまで延設されたことを特徴とする空気入りタイヤ。
【請求項４】
請求項１から３のいずれか一つに記載の空気入りタイヤにおいて、前記カーカスは、複数のコードがタイヤ周方向に対して９０度の角度をもって配設され、前記補強層は、前記複合コードが前記カーカスコードに対して０〜１０度の角度をもって配設されたことを特徴とする空気入りタイヤ。
【請求項５】
請求項１から４のいずれか一つに記載の空気入りタイヤにおいて、前記カーカスコードは、レーヨン繊維により形成されたことを特徴とする空気入りタイヤ。
【請求項６】
請求項１から４のいずれか一つに記載の空気入りタイヤにおいて、前記補強層の複合コードは、レーヨン繊維により前記低弾性域が形成され、芳香族ポリアミド繊維により前記高弾性域が形成されたことを特徴とする空気入りタイヤ。
【発明の詳細な説明】
【技術分野】
【０００１】
本発明は、トレッド部、ショルダー部、サイドウォール部、ビード部からなる空気入りタイヤに関し、特に、ビード部の補強構造に関するするものである。
【背景技術】
【０００２】
一般的な空気入りタイヤは、トレッド部とショルダー部とサイドウォール部とビード部からなり、トレッド部にタイヤの骨格を形成するカーカスが配置され、このカーカスの外側にベルト配置されると共にその外側にベルトカバーが配置されている。また、ビード部にて、ビードワイヤが巻き付けられてリング形状をなすビードコアが形成され、このビードコアの外周側にビードフィラーが配設されると共に、ビードコアの周囲にカーカスの端部がタイヤ内側から外側に折り返して装架されている。
【０００３】
このカーカスは、上述したように、タイヤの骨格であって荷重や衝撃、充填空気圧に耐えて構造を保持するものであり、一般に、有機繊維からなる複数のカーカスコードがゴムで被覆されて構成されている。ところが、有機繊維製のカーカスコードは、熱に対する耐久性が低く、耐フラットスポット性が不十分であった。なお、このフラットスポットとは、タイヤが高速走行等により高温となった状態で所定時間停止すると、このタイヤの温度が低下して車両の重量によりゴムや有機繊維が塑性変形してタイヤに残留歪が発生し、この残留歪によって形成される平坦部である。このフラットスポットが発生すると、走行時に振動が発生して操縦安定性が低下してしまう。
【０００４】
そのため、カーカスを、スチール製のカーカスコードがゴムで被覆して構成されたものとすることで、カーカスの塑性変形を抑制してフラットスポットが形成されないようにしたものがある。しかし、カーカスコードをスケールコードとすることで、フラットスポットは改善されるものの、カーカスの剛性が上がりすぎて耐久性や乗心地が低下してしまうという問題がある。
【０００５】
そこで、カーカスを有機繊維からなる複数のカーカスコードから構成し、このカーカスコードの外側にこれを補強するフィラーを設ける技術が提案され、例えば、下記特許文献１に記載されている。この特許文献１に記載されたラリー用空気入りラジアルタイヤは、有機繊維からなる複数のカーカスコードから構成されたカーカスの折り返し部の外側に、高弾性フィラメントと低弾性フィラメントとを寄り合わせた複合コードからなるフィラーを設けることで、低弾性フィラメントが通常走行時における操縦安定性と乗心地を確保し、高弾性フィラメントが亀裂の発生やその成長を阻止して耐久性を確保することができる。
【０００６】
【特許文献１】特許第２６６７７６３号公報
【発明の開示】
【発明が解決しようとする課題】
【０００７】
ところが、上述した従来のラリー用空気入りラジアルタイヤにあっては、カーカスの折り返し部の外側に、高弾性フィラメントと低弾性フィラメントとを寄り合わせた複合コードからなるフィラーを設けているが、内部からカーカスに対して作用する応力は、カーカスのタイヤ内側部分に多く作用しており、フィラーの高弾性フィラメントにより十分なタイヤ剛性を確保することができない。
【０００８】
本発明は、このような問題を解決するためのものであって、フラットスポットを抑制することでタイヤ剛性を向上すると共に乗心地の悪化を防止した空気入りタイヤを提供することを目的とする。
【課題を解決するための手段】
【０００９】
上述した課題を解決し、目的を達成するために、請求項１の発明の空気入りタイヤは、トレッド部からショルダー部及びサイドウォール部を介してビード部まで装架されて端部がタイヤ外側に折り返された複数のコードからなるカーカスを有する空気入りタイヤにおいて、低剛性繊維及び高剛性繊維からなる複合コードにより構成される補強層が前記カーカスに隣接し、該複合コードが前記カーカスコードと略平行をなして配設され、前記複合コードが、応力−伸び曲線にて、原点から変曲点に至る低弾性域と該変曲点を越える高弾性域とを有し、前記変曲点での伸びが０．５〜５．０％の範囲にあり、且つ、前記カーカスの剛性指数に対する前記複合コードにおける低弾性域の剛性指数が５０％以下で、高弾性域の剛性指数が１００％以上に設定されたことを特徴とするものである。
【００１０】
請求項２の発明の空気入りタイヤでは、前記カーカスは、トレッド部からショルダー部及びサイドウォール部を介してビード部まで延設されたカーカス本体と、該カーカス本体の端部からタイヤ外側に折り返された折り返し部と、前記カーカス本体の端部と前記折り返し部とを連結する底部とを有し、前記補強層は、前記カーカス本体に沿って設けられたことを特徴としている。
【００１１】
請求項３の発明の空気入りタイヤでは、前記カーカスは、端部がビードコアの周囲にタイヤ内側から外側に折り返されてなり、前記補強層は、タイヤ最大幅位置近傍から前記ビードコアまで延設されたことを特徴としている。
【００１２】
請求項４の発明の空気入りタイヤでは、前記カーカスは、複数のコードがタイヤ周方向に対して９０度の角度をもって配設され、前記補強層は、前記複合コードが前記カーカスコードに対して０〜１０度の角度をもって配設されたことを特徴としている。
【００１３】
請求項５の発明の空気入りタイヤでは、前記カーカスコードは、レーヨン繊維により形成されたことを特徴としている。
【００１４】
請求項６の発明の空気入りタイヤでは、前記補強層の複合コードは、レーヨン繊維により前記低弾性域が形成され、芳香族ポリアミド繊維により前記高弾性域が形成されたことを特徴としている。
【発明の効果】
【００１５】
請求項１の発明の空気入りタイヤによれば、トレッド部からショルダー部及びサイドウォール部を介してビード部まで装架されて端部がタイヤ外側に折り返された複数のコードからなるカーカスを有し、低剛性繊維及び高剛性繊維からなる複合コードにより構成される補強層をカーカスに隣接し、この複合コードがカーカスコードと略平行をなして配設し、また、複合コードが、応力−伸び曲線にて、原点から変曲点に至る低弾性域と該変曲点を越える高弾性域とを有し、変曲点での伸びが０．５〜５．０％の範囲にあり、且つ、カーカスの剛性指数に対する前記複合コードにおける低弾性域の剛性指数が５０％以下で、高弾性域の剛性指数が１００％以上に設定したので、補強層の複合コードがカーカスコードと略平行をなすようにカーカスに隣接して配設することで、タイヤ内部からカーカスに作用する応力をこの補強層により確実に受け止めることができ、十分なタイヤ剛性を確保することができ、また、タイヤの低空気圧静止時には、複合コードの高弾性域の剛性によりフラットスポットの発生を確実に抑制することができる一方、通常走行状態では、低弾性域の剛性により乗心地の悪化を防止することができる。
【００１６】
請求項２の発明の空気入りタイヤによれば、カーカスを、トレッド部からショルダー部及びサイドウォール部を介してビード部まで延設されたカーカス本体と、カーカス本体の端部からタイヤ外側に折り返された折り返し部と、カーカス本体の端部と折り返し部とを連結する底部とから構成し、補強層をカーカス本体に沿って設けたので、タイヤ内部からカーカスのタイヤ内側部分に多く作用する応力に対して、カーカス本体に沿って設けられた補強層によりカーカスの変形を確実に抑制することができ、十分なタイヤ剛性を確保することができる。
【００１７】
請求項３の発明の空気入りタイヤによれば、カーカスの端部がビードコアの周囲にタイヤ内側から外側に折り返されてなり、補強層をタイヤ最大幅位置近傍からビードコアまで延設したので、タイヤ内部からサイドウォール部に作用する応力を補強層により確実に受け止めることで、十分なタイヤ剛性を確保することができる。
【００１８】
請求項４の発明の空気入りタイヤによれば、カーカスの複数のコードをタイヤ周方向に対して９０度の角度をもって配設し、補強層の複合コードをカーカスコードに対して０〜１０度の角度をもって配設したので、十分な耐久性を確保することができる。
【００１９】
請求項５の発明の空気入りタイヤによれば、カーカスコードをレーヨン繊維により形成したので、レーヨン繊維は寸法的に熱安定性が高く、この熱安定性に優れたカーカスコードに補強層を付設することで、フラットスポットを確実に抑制することができる。
【００２０】
請求項６の発明の空気入りタイヤによれば、補強層の複合コードにて、レーヨン繊維により低弾性域を形成し、芳香族ポリアミド繊維により高弾性域を形成したので、レーヨン繊維並びに芳香族ポリアミド繊維は寸法的に熱安定性が高く、複合コードにこの熱安定性に優れた素材を適用することで、フラットスポットを確実に抑制することができる。
【発明を実施するための最良の形態】
【００２１】
以下に、本発明に係る空気入りタイヤの実施例を図面に基づいて詳細に説明する。なお、この実施例によりこの発明が限定されるものではない。
【実施例】
【００２２】
図１は、本発明の一実施例に係る空気入りタイヤを表す要部概略断面図、図２は、本実施例の空気入りタイヤにおける補強層の応力−伸び曲線を表すグラフである。
【００２３】
本実施例の空気入りタイヤにおいて、図１に示すように、このタイヤ１０は、トレッド部Ａとその両側に連続するショルダー部Ｂとサイドウォール部Ｃとビード部Ｄから構成されている。即ち、カーカス１１は、ゴムで被覆された繊維やスチールで形成されたコード層からなり、タイヤの骨格を形成するものであって、トレッド部Ａの両側からショルダー部Ｂ及びサイドウォール部Ｃを介してビード部Ｄまで延出されている。そして、このカーカス１１は、タイヤ１０に空気を充填した際に圧力容器としての役目を果たす強度メンバーであり、その内圧によって荷重を支え、走行中の動的荷重に耐える構造を持っている。
【００２４】
このトレッド部Ａにて、カーカス１１の外周側には、２層のベルト１２，１３が配置されると共に、その外側にベルトカバー１４が配置されている。このベルト１２，１３は、タイヤの周方向に貼り付けられた補強層であって、カーカス１１を締め付けてトレッド剛性を高めると共に、衝撃を緩和してトレッドに生じた外傷がカーカス１１に及ぶのを防止する。ベルトカバー１４は、振動を吸収して静粛性を高めると共に、高速安定性をもたらす。
【００２５】
そして、このベルト１２，１３及びベルトカバー１４の外周側には、アンダトレッド１５とキャップトレッド１６が積層体として配置されており、キャップトレッド１５の外周面にトレッド面１７が形成されている。
【００２６】
また、キャップトレッド１５に連続するサイドトレッド１８は、ショルダー部Ｂからサイドウォール部Ｃの最も外側に配置され、トレッドに生じた外傷がカーカス１１に達するのを防止すると共に、ラジアルタイヤの場合には、車軸からの駆動力を路面に伝える補助的役割も担っている。
【００２７】
ビード部Ｄにて、ビードワイヤ１９はスチールワイヤであり、このビードワイヤ１９を連続して巻き付けてリング形状をなすことでビードコア２０を形成している。このビードコア２０は、タイヤ１０の内圧によって発生するカーカス１１のコード張力を支えるものであって、タイヤ１０を図示しないホイールのリムに固定させる役割を果たし、また、カーカス１１、ベルト１２，１３、ベルトカバー１４などと共にタイヤ１０の強度部材として機能する。
【００２８】
そして、カーカス１１の端部がこのビードコア２０の周囲にタイヤ１０の内側から外側に折り返され、このカーカス１１とビードコア２０との空間にビードフィラー２１が充填されることで、ビード部Ｄが構成される。即ち、ビードフィラー２１は、ビードコア２０の外周側に配設されることで、カーカス１１をビードコア２０に固定すると共に、その部分の形状を整え、ビード部Ｄ全体の剛性を高める。
【００２９】
このように構成されたタイヤ１０において、本実施例にて、カーカス１１は、前述したように、トレッド部Ａからショルダー部Ｂ及びサイドウォール部Ｃを介してビード部Ｄまで装架されており、端部がタイヤ内側から外側に折り返されており、このカーカス１１に隣接して、低剛性繊維及び高剛性繊維からなる複合コードにより構成される補強層（ハイブリッド補強層）３１が付設されている。
【００３０】
即ち、カーカス１１は、図示しない複数のカーカスコードがタイヤ周方向に対して略９０度の角度をもって配列され、外周部をゴムにより被覆されて構成されている。そして、このカーカス１１は、トレッド部Ａからショルダー部Ｂ及びサイドウォール部Ｃを介してビード部Ｄまで延設されたカーカス本体１１ａと、このカーカス本体１１ａの端部からタイヤ外側に折り返された折り返し部１１ｂと、カーカス本体１１ａの端部と折り返し部１１ｂとを連結する底部１１ｃとから構成されている。
【００３１】
一方、補強層３１は、カーカス１１にて、タイヤ内側に位置するカーカス本体１１ａのタイヤ外側に沿って配設されており、望ましくは、タイヤ最大幅位置近傍からビードコア２０までの領域に配設すると良い。そして、この補強層３１は、低剛性繊維と高剛性繊維を互いに拠り合せた複合コードとして構成されているが、一方の直線状の繊維の周囲に他方の繊維を螺旋状に巻き付けてもよく、また、各繊維を１本ずつに限らず複数本組み合わせても良い。そして、補強層３１の複合コードは、カーカス１１のカーカスコードと同様に、タイヤ周方向に対して略９０度の角度をもって配列されることで、このカーカスコードと略平行をなして配設されている。この場合、補強層３１の複合コードをカーカスコードに対して０〜１０度の角度範囲をもって配設することが望ましい。
【００３２】
また、補強層３１の複合コードは、図２のグラフに示すように、応力−伸び曲線Ｓにて、原点０から変曲点Ｃに至る低弾性域とこの変曲点Ｃを越える高弾性域とを有している。この場合、伸び０の状態における曲線に接する接線Ｔ１と、破断点において曲線に接する接線Ｔ２との交点Ｘを通る垂線と曲線Ｓとの交点が変曲点Ｃとなる。そして、本実施例では、補強層３１の複合コードにおける変曲点Ｃでの伸びが０．５〜５．０％の範囲となるように設定されている。
【００３３】
更に、補強層３１の複合コードは、カーカス１１の剛性指数に対する低弾性域の剛性指数が５０％以下で、高弾性域の剛性指数が１００％以上となるように設定されている。ここで、剛性指数とは、補強層３１の複合コードにおける応力−伸び曲線Ｓの傾きから求めた弾性率と、低剛性繊維コード及び高剛性繊維コードの各断面積と、単位幅当たりのコード打ち込み本数を掛け合わせたものである。この場合、単位幅当たりのコード打ち込み本数はエンド数と呼ばれ、タイヤの最大幅位置で測定したものである。
【００３４】
従って、補強層３１をその複合コードがカーカスコードと略平行をなすように、カーカス１１に隣接して配設することで、タイヤ内部からカーカス１１に作用する応力をこの補強層３１により確実に受け止めることができる。カーカス１１は、カーカス１１は、カーカス本体１１ａがトレッド部Ａからショルダー部Ｂ及びサイドウォール部Ｃを介してビード部Ｄまで装架され、端部がタイヤ内側から外側に折り返されることで、底部１１ｃを介して折り返し部１１ｂが形成されており、タイヤ内部からこのカーカス１１に対して作用する応力は、その大部分がタイヤ内側部分に位置するカーカス本体１１ａにより受け止められており、補強層３１をこのカーカス本体１１ａに付設することで、補強層３１がカーカス１１補強して十分なタイヤ剛性を確保することができる。
【００３５】
また、車両の通常走行時には、タイヤ１０の遠心力空気圧の上昇によりサイドウォール部Ｃの変形が小さく、補強層３１は、低剛性繊維コードが有する低弾性域の剛性となり、乗員の乗心地の悪化を防止することができる。一方、車両の停止時には、タイヤ１０は低空気圧静止状態となってサイドウォール部Ｃの変形が大きく、補強層３１の複合コードが変曲点を越えるため、高剛性繊維コードが有する高弾性域の剛性となり、フラットスポットの発生を確実に抑制することができる。
【００３６】
なお、上述したカーカス１１に適用されるカーカスコードは、レーヨン繊維により形成することが望ましく、このレーヨン繊維は寸法的に熱安定性が高いため、この熱安定性に優れたカーカスコードに補強層３１を付設することで、フラットスポットを確実に抑制することができる。
【００３７】
また、補強層３１の複合コードにて、低剛性繊維コードとしてナイロン繊維、ポリエステル繊維、ポリケトン繊維などを適用することができるが、望ましくは、レーヨン繊維を適用することが最適である。また、高剛性繊維コードとしてポリアリレート繊維、ポリパラフェニレンベンゾビスオキサゾール繊維などを適用することができるが、望ましくは、芳香族ポリアミド繊維を適用することが最適である。このレーヨン繊維並びに芳香族ポリアミド繊維は寸法的に熱安定性が高く、補強層３１の複合コードにこの熱安定性に優れた素材を適用することで、フラットスポットを確実に抑制することができる。
【００３８】
ここで、比較例と本実施例とにおける乗心地、耐フラットスポット性の比較をする。この場合、下記表１に示すように、比較例１は、ハイブリッド補強層が設けられていないもの、比較例２、３は、一般的な補強層がサイドウォール部に設けられているもの、比較例４、５は、ハイブリッド補強層がサイドウォール部に設けられているものであり、比較例２は、補強層がスチールコードであり、比較例３〜５は、補強層がアラミド繊維またはナイロン繊維との複合コードである。そして、比較例２〜５では、剛性比や変曲点領域がずれて設定されている。
【００３９】
一方、実施例１〜４は、ハイブリッド補強層がサイドウォール部のカーカス本体１１ａに付設されたものであり、実施例５は、ハイブリッド補強層がサイドウォール部のカーカス折り返し部１１ｂに付設されたものである。そして、実施例１〜５では、剛性比が適正領域（低弾性域の剛性比が５０％以下で、且つ、高弾性域の剛性比が１００％以上）内でずれて設定されている。
【００４０】
【表１】
2006298162.tif 000003
【００４１】
各比較例と各実施例を比較してみると、補強層のない比較例１における乗心地、耐フラットスポット性の評価を１００％とした場合、スチールコードの補強層を有する比較例２では、低弾性域の剛性比が高すぎて乗心地が６０％に低下しており、アラミド繊維コードの補強層を有する比較例３では、低弾性域の剛性比が高すぎて乗心地８０％に低下している。また、ハイブリッド補強層を有して低弾性域の剛性比が５０％を超えた比較例４では、乗心地が９０％に低下しており、ハイブリッド補強層を有して変曲点が６．０％である比較例５では、乗心地、耐フラットスポット性の評価が１００％であり、比較例１と大差がない。
【００４２】
一方、ハイブリッド補強層がカーカス本体１１ａに付設されて剛性比及び変曲点が適正領域におる実施例１〜４と、ハイブリッド補強層がカーカス折り返し部１１ｂに付設されて剛性比及び変曲点が適正領域にある実施例５では、乗心地の評価が１００％と低下することなく、耐フラットスポット性の評価が１１０％以上となっている。
【００４３】
従って、本実施例の空気入りタイヤにあっては、比較例の空気入りタイヤに対して、ハイブリッド補強層がカーカス１１に隣接して剛性比及び変曲点が適正領域に設定することで、乗心地を低下させることなく、耐フラットスポット性を向上することができる。
【００４４】
なお、タイヤの乗心地及び耐フラットスポット性の評価を実施するための条件及び方法は、下記のものとなっている。
１）評価タイヤサイズ
２２５／４５ＺＲ１７
２）乗心地の評価方法
国産２．５リットルクラスの乗用車に本実施例のタイヤを装着して実車乗心地性能フィーリングについて評価した。
３）耐フラットスポット性の評価
最初に、タイヤユニフォーミティを、ＪＡＳＯ  Ｃ６０７「自動車用タイヤのユニフォーミティ試験方法」に準拠して測定し、時速１５０ｋｍ／ｈで３０分予備走行後に、荷重を負荷した状態で１時間ドラム停止する。その後、再び、タイヤユニフォーミティを測定し、ラジアルフォースバリエーションの予備走行前後の差ΔＲＦＶを評価指標とする。このｓｇ、差ΔＲＦＶが小さいほど、耐フラットスポット性に優れる。
【００４５】
このように本実施例の空気入りタイヤ１０にあっては、複数のコードからなるカーカス１１をトレッド部Ａからショルダー部Ｂ及びサイドウォール部Ｃを介してビード部Ｄまで装架して端部をタイヤ外側に折り返し、低剛性繊維及び高剛性繊維からなる複合コードにより構成される補強層３１をカーカス１１に隣接し、この複合コードがカーカスコードと略平行をなして配設し、その応力−伸び曲線にて、原点０から変曲点Ｃに至る低弾性域と変曲点を越える高弾性域とを有し、変曲点Ｃでの伸びが０．５〜５．０％の範囲とし、且つ、カーカス１１の剛性指数に対する複合コードにおける低弾性域の剛性指数を５０％以下で、高弾性域の剛性指数を１００％以上に設定している。
【００４６】
従って、補強層３１の複合コードがカーカスコードと略平行をなすようにカーカス１１に隣接して配設することで、タイヤ内部からカーカス１１に作用する応力をこの補強層３１により確実に受け止めることができ、十分なタイヤ剛性を確保することができる。また、タイヤ１０の低空気圧静止時には、複合コードの高弾性域の剛性によりフラットスポットの発生を確実に抑制することができる一方、通常走行状態では、低弾性域の剛性により乗心地の悪化を防止することができる。
【００４７】
即ち、フラットスポットの生成量（永久ひずみ量）は、タイヤの荷重によるたわみ変形に伴ったカーカスコードの初期の引張・圧縮ひずみの大きさ（例えば、駐車開始時）の寄与が高い。このカーカスコードの初期の引張・圧縮ひずみは、カーカスコードのタイヤのサイド部で大きくなるため、カーカス１１に隣接するように補強層３１を設けることは、初期の引張・圧縮ひずみを低減させ、その後の熱冷却の間にセットされる永久ひずみも結果的に低減することができる効果を得る。
【００４８】
また、タイヤの荷重によるたわみ変形に伴ったカーカスコードの初期の引張・圧縮ひずみは、特に、静止時にカーカスコード方向が支配的であるため、このカーカスコード方向に補強層３１を設けることが最も効果的であると言える。一方、タイヤの転動時には、カーカスコード方向に補強層３１を設けることが、タイヤ周方向の剛性には寄与しないため、悪路走行や突起乗り越し時の前後振動を悪化させず、乗心地に対して悪影響をほとんど与えることがない。通常は、サイド部の補強として、カーカスコードに対して所定の角度をもたせて補強層を設けるが、この場合は、タイヤの縦方向（径方向）及び周方向の両方の剛性を上げてしまい、乗心地性能を悪化させてしまうおそれがある。
【００４９】
また、本実施例の空気入りタイヤ１０は、カーカス１１を、カーカス本体１１ａと、このカーカス本体１１ａの端部からタイヤ外側に折り返された折り返し部１１ｂと、カーカス本体１１ａの端部と折り返し部１１ｂとを連結する底部１１ｃとから構成し、補強層３１をカーカス本体１１ａに沿って設けている。従って、タイヤ内部からカーカス１１のタイヤ内側部分に多く作用する応力に対して、カーカス本体１１ａに沿って設けられた補強層３１によりカーカス１１の変形を確実に抑制することができ、十分なタイヤ剛性を確保することができる。
【００５０】
更に、カーカス１１の端部がビードコア２０の周囲にタイヤ内側から外側に折り返されてなり、補強層３１をタイヤ最大幅位置近傍からビードコア２０まで延設している。従って、タイヤ内部からサイドウォール部Ｃに作用する応力を補強層３１により確実に受け止めることで、十分なタイヤ剛性を確保することができる。
【００５１】
また、カーカス１１の複数のコードをタイヤ周方向に対して９０度の角度をもって配設し、補強層３１の複合コードをカーカスコードに対して０〜１０度の角度をもって配設している。従って、十分な耐久性を確保することができる。
【００５２】
更に、本実施例では、応力−伸び曲線にて、低弾性域と高弾性域との変曲点Ｃでの伸びを０．５〜５．０％の範囲としている。タイヤの転動走行時には、ひずみ領域が比較的小さい領域での寄与が高く、この領域では乗心地性能を考えると剛性を上げない方が良好であるため、低ひずみ側の剛性を下げる（維持する）方が好ましい。しかし、タイヤの停止時所期では、タイヤの発熱によりタイヤ内部の空気温度上昇し、タイヤの空気圧が高くなっている。一般に、時速１００ｋｍで３０分程度走行すると、２０〜３０ｋＰａ位空気圧が上昇する。そのため、タイヤの接地側での変形量は少ないが、時間が経過してタイヤの温度が下がっていくと、空気圧が低下し、特に、接地部の変形が大きくなり、サイド部のひずみも大きくなる。ここで、高ひずみ領域の剛性が高いとタイヤの変形を抑制することができる。このため、低ひずみ領域（低弾性域）と高ひずみ領域（高弾性域）との間で変曲点をもったハイブリッド補強層３１の硬化が発揮される。なお、フラットスポット性能の場合は、特に、局所的な変形の影響が大きく、高ひずみ側が影響する。
【００５３】
そして、カーカス１１の剛性指数に対する複合コードにおける低弾性域の剛性指数を５０％以下で、高弾性域の剛性指数を１００％以上に設定している。カーカス１１複合コードの剛性指数の比において、前述したように、局所的な変形を考慮してコード単体の特性を規定しているが、この剛性指数の比を規定することで、より最適な範囲（フラットスポットと剛性悪化で悪くなるタイヤ特性バランス、例えば、乗心地）を設計することができる。
【産業上の利用可能性】
【００５４】
以上のように、本発明に係る空気入りタイヤは、低剛性繊維及び高剛性繊維からなる複合コードにより構成される補強層をカーカスに対して、複合コードがカーカスコードと略平行をなすように付設したものであり、いずれの種類の空気入りタイヤに用いても好適である。
【図面の簡単な説明】
【００５５】
【図１】本発明の一実施例に係る空気入りタイヤを表す要部概略断面図である。
【図２】本実施例の空気入りタイヤにおける補強層の応力−伸び曲線を表すグラフである。
【符号の説明】
【００５６】
１０  タイヤ
１１  カーカス
１１ａ  カーカス本体
１１ｂ  折り返し部
１１ｃ  底部
１２，１３  ベルト
１４  ベルトカバー
２０  ビードコア
２１  ビードフィラー
３１  補強層
Ａ  トラッド部
Ｂ  ショルダー部
Ｃ  サイドウォール部
Ｄ  ビード部
【図１】
2006298162.tif 000004
【図２】
2006298162.tif 000005